【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
意匠を表示するための凹みが裏面に形成され、長手方向の端面からの入射光に基づいて前記裏面とは反対側の発光面から前記意匠を表示するための板状の導光体と、
該導光体の長手方向の端面に光を入射させる光源とを備え、
前記導光体における短手方向の端面の少なくとも一部が粗面化されていることを特徴とする発光装置。
【請求項２】
前記導光体における短手方向の端面の少なくとも一部がブラスト処理により粗面化されたことを特徴とする請求項１に記載の発光装置。
【請求項３】
前記導光体における短手方向の端面の少なくとも一部に前記裏面と前記発光面とを結ぶ方向に向けた溝が前記長手方向へ複数並べられることにより、該端面の少なくとも一部が粗面化されていることを特徴とする請求項１又は請求項２に記載の発光装置。
【請求項４】
前記溝は、前記短手方向の端面から略Ｖ状に凹み、前記光源から光が入射する端面に対向する部分が前記短手方向の端面から０°よりも大きく４５°以下の角度で前記導光体の内側へ向かう斜面とされていることを特徴とする請求項３に記載の発光装置。
【請求項５】
前記複数の溝には、前記長手方向へ互いに隣り合う第一及び第二の溝と、これらの第一及び第二の溝よりも前記光源に近い第三及び第四の溝と、が少なくとも含まれ、
前記第一の溝と前記第二の溝との間隔が前記第三の溝と前記第四の溝との間隔よりも狭いことを特徴とする請求項３又は請求項４に記載の発光装置。
【請求項６】
前記複数の溝には、第五の溝と、この第五の溝よりも前記光源に近い第六の溝と、が少なくとも含まれ、
前記第五の溝が前記第六の溝よりも深くされていることを特徴とする請求項３〜請求項５のいずれか一項に記載の発光装置。
【請求項７】
前記導光体の裏面に前記凹みが前記長手方向へ複数並べられ、これらの凹みのそれぞれに合わせた位置で前記導光体の短手方向の端面が粗面化されていることを特徴とする請求項１〜請求項６のいずれか一項に記載の発光装置。
【請求項８】
前記複数の凹みのそれぞれに合わせた位置で前記導光体の短手方向の端面がブラスト処理により粗面化され、粗面化された各部位において前記長手方向の中間部分のブラスト処理が前記長手方向の両端部分のブラスト処理よりも強くされたことを特徴とする請求項７に記載の発光装置。
【手続補正２】
【補正対象書類名】明細書
【補正対象項目名】発明の名称
【補正方法】変更
【補正の内容】
【発明の名称】発光装置
【手続補正３】
【補正対象書類名】明細書
【補正対象項目名】０００１
【補正方法】変更
【補正の内容】
【０００１】
本発明は、意匠を表示するための凹みが裏面に形成された板状の導光体における長手方向の端面から光を入射させて前記意匠を表示する発光装置に関する。
【手続補正４】
【補正対象書類名】明細書
【補正対象項目名】０００５
【補正方法】変更
【補正の内容】
【０００５】
本発明は、上記課題に鑑みてなされたもので、意匠を表示するための凹みが裏面に形成された板状の導光体における長手方向の端面から光を入射させて前記意匠を表示する発光装置において、前記意匠の長手方向に沿った部分を明るくすることを目的とする。
【手続補正５】
【補正対象書類名】明細書
【補正対象項目名】０００６
【補正方法】変更
【補正の内容】
【０００６】
上記目的を達成するため、本発明の発光装置は、意匠を表示するための凹みが裏面に形成され、長手方向の端面からの入射光に基づいて前記裏面とは反対側の発光面から前記意匠を表示するための板状の導光体と、該導光体の長手方向の端面に光を入射させる光源とを備え、前記導光体における短手方向の端面の少なくとも一部が粗面化されていることを特徴とする。
以上の構成により、光源から板状導光体の長手方向の端面に入射した光は、導光体の短手方向の粗面化された端面で反射する。これにより、導光体内で短手方向に進む光が増え、該光により意匠の長手方向に沿った部分が照らされる。従って、導光体の意匠の長手方向に沿った部分を明るくすることができる。
【手続補正６】
【補正対象書類名】明細書
【補正対象項目名】０００８
【補正方法】変更
【補正の内容】
【０００８】
請求項１に係る発明によれば、意匠を表示するための凹みが裏面に形成された板状の導光体における長手方向の端面から光を入射させて前記意匠を表示する発光装置において、前記意匠の長手方向に沿った部分を明るくすることが可能になる。
請求項２に係る発明では、長手方向の端面からの入射光が短手方向の端面の粗面化部位で乱反射して短手方向に進む光が増え、意匠の長手方向に沿った部分を適切に明るくすることができる。
請求項３に係る発明では、長手方向の端面からの入射光が短手方向の端面の溝で反射して短手方向に進む光が増え、意匠の長手方向に沿った部分を適切に明るくすることができる。
請求項４に係る発明では、光源からの長手方向に向いた入射光が略Ｖ状溝の対向部分でほぼ全て反射するので、意匠の長手方向に沿った部分をさらに明るくすることができる。
【手続補正７】
【補正対象書類名】明細書
【補正対象項目名】００１０
【補正方法】変更
【補正の内容】
【００１０】
（１）発光装置の構成：
図１は本発明の一実施形態に係る発光装置１０を採用した自動車の内装を示す要部斜視図、図２は発光装置１０の平面図、図３は図２に示す発光装置１０を同図のＡ１−Ａ１の位置で断面視して示す垂直断面図、図４は反射フィルム７６の平面図、図５は種々の発光装置１０ａ〜１０ｄを図２のＡ２−Ａ２の位置で断面視して示す垂直断面図、図６〜図８は種々の導光体２０ｅ〜２０ｉの要部を示す平面図、図９はブラスト装置１００を模式的に示す図である。図２では、カバー７４が断面視されている。
なお、図２に示すように、導光体２０の長手方向Ｄ１は発光面２１に臨んだときに長い方向とし、導光体２０の短手方向Ｄ２は発光面２１に臨んだときに短い方向とする。光源６２からの入射光は、導光体２０内で長手方向Ｄ１を中心とする方向へ進むことになる。また、図３に示すように、導光体２０の厚み方向Ｄ３は、長手方向Ｄ１及び短手方向Ｄ２に直交する方向とする。発光面２１から出た光は、厚み方向Ｄ３を中心とする方向へ進むことになる。
【手続補正８】
【補正対象書類名】明細書
【補正対象項目名】００１１
【補正方法】変更
【補正の内容】
【００１１】
図１では、ドア８４を開けた状態で前席８２の背後から後席８３にわたって路上走行自動車の要部を示している。図に示す自動車のドア開口部８１の下縁にスカッフプレート１が設置され、このスカッフプレート１に本発明に係る発光装置１０が設けられている。
スカッフプレートは、ドア開口部の下縁を構成する車体パネルを被覆して乗降口の足元部分を保護するとともに、車名といったロゴタイプ等の意匠を表したプレート等により車室の意匠性を高める機能を有する。本実施形態のスカッフプレート１は、発光装置１０の発光面２１から文字やロゴタイプ等の意匠が浮かび上がるため、車室の装飾効果がより一層高められ、自動車に高級感を付与することができる。
【手続補正９】
【補正対象書類名】明細書
【補正対象項目名】００３８
【補正方法】変更
【補正の内容】
【００３８】
（２）発光装置の作用、効果：
以下、本発光装置１０の作用、効果を説明する。
光源６２から板状導光体２０の長手方向Ｄ１の端面２３，２４に入射した光は、意匠用の凹み３０や裏面２２や短手方向の端面２５，２６で反射等した後、発光面２１から放射される。ここで、凹み３０が入射光で照らされるので、凹み３０の形状が意匠として表示される。また、図２に示すように、光源６２から板状導光体２０の長手方向Ｄ１の端面２３，２４に入射した光は、導光体２０の短手方向Ｄ２の粗面化された端面２５，２６で反射する。
【手続補正１０】
【補正対象書類名】明細書
【補正対象項目名】００４９
【補正方法】変更
【補正の内容】
【００４９】
１…スカッフプレート、
１０，１０ａ〜１０ｄ…発光装置、
２０，２０ａ〜２０ｉ…導光体、２１…発光面、２２…裏面、
２３，２４…長手方向の端面、２５，２６…短手方向の端面、２７…切欠部、
３０…凹み、３１…長手方向に沿った部分、３２…短手方向に沿った部分、
４０，４１，４２，４４ａ…粗面化部位、
４２ａ…中間部分、４２ｂ…両端部分、
４３，４４ｂ，４５〜４９…溝、４５ａ，４５ｂ，４６ａ…入射端面対向部分、
４７ａ…第一の溝、４７ｂ…第二の溝、４７ｃ…第三の溝、４７ｄ…第四の溝、
４８ａ…第五の溝、４８ｂ…第六の溝、
６０…光源ユニット、６２…光源、
７２…底板、７４…カバー、７６…反射フィルム、
８１…ドア開口部、８２…前席、８３…後席、８４…ドア、
Ｄ１…導光体の長手方向、Ｄ２…導光体の短手方向、Ｄ３…導光体の厚み方向、
Ｄ４…入射光の進行方向の中心、Ｄ５…反射光の進行方向の例。